(57)【特許請求の範囲】
【請求項１】
交流電源からなる商用電源から給電される電流を所望の電流値に制御する電流制御手段と、電極に挟持される発光層を有する複数の面状発光素子と、前記商用電源が所望の機能を果たさない非常時に、前記面状発光素子に給電する非常用電源と、を備え、前記商用電源が所望の機能を果たす通常時には前記電流制御手段を介して前記面状発光素子に給電する表示装置において、
前記非常用電源は、非常時に、前記電流制御手段を介さずに前記面状発光素子に電気的に接続され、
前記電流制御手段は能動素子のスイッチング動作を用いて入力電圧を昇圧するための昇圧コンバータを有し、
前記昇圧コンバータの制御電圧は、商用電源の交流電圧を利用していることを特徴とする表示装置。
【請求項２】
前記非常用電源を複数備え、
前記複数の非常用電源は、非常時に、複数の面状発光素子に独立に接続されることを特徴とする請求項１に記載の表示装置。
【請求項３】
前記非常用電源の出力電圧は、通常時の前記面状発光素子への印加電圧よりも小さいことを特徴とする請求項２に記載の表示装置。
【発明の詳細な説明】
【技術分野】
【０００１】
本発明は、非常時に面状発光素子を点灯させる非常用電源を有する誘導灯等の表示装置に関する。
【背景技術】
【０００２】
従来から、火災発生時等の非常時に、人を避難経路に誘導するための表示装置（誘導灯）が使用されている。このような誘導灯を図９に示す。この誘導灯は、例えば、緑と白の２色を用いて人が避難するマークを表示した透光性の表示パネル１０１と、バックライト用の蛍光ランプ１０２と、回路構成部１０３とを備える。蛍光ランプ１０２は、回路構成部１０３の点灯回路に接続され、点灯回路内のインバータ部で高周波駆動されて点灯される。インバータ部は交流電源より給電される交流直流変換部の直流電圧で駆動される。
【０００３】
このような誘導灯は、非常時に交流電源の供給が絶たれる場合を想定して、バッテリ等の非常用電源（不図示）を備え、非常時に非常用電源から点灯回路に給電してインバータ部を駆動して蛍光ランプ１０２を点灯する。
【０００４】
しかしながら、上記誘導灯は、蛍光ランプの寿命が短いことや、非常時に、インバータ部による電力消費のため、非常用電源の消耗が早く、長時間点灯できないという問題があった。
【０００５】
また、蛍光ランプをバックライトとする表示体を、その表示内容の識別に応じて点灯制御し、停電時に商用電源を非常用電源に切換えてランプ点灯する表示装置が知られている（例えば、特許文献１参照）。しかしながら、この装置は、表示内容の識別により省電力化できるが、前記誘導灯と同様に、停電時に、インバータ部を非常用電源で駆動して点灯するので、長時間点灯できない。
【０００６】
ところで、図１０に示すように、近年、薄型で、長寿命が期待される有機ＥＬ（Electro Luminescence）等の面状発光素子１０４を誘導用の表示パネル１０１のバックライトとして用いた誘導灯が提案されている（例えば、特許文献２参照）。この誘導灯は、交流電源より給電される電源回路部１０５と、非常用電源１０６とを備え、電源回路部１０５は交流直流変換部と、定電流源となる電流制御部とを有する。電流制御部は、通常時に交流直流変換部から、非常時に非常用電源１０６から給電されて面状発光素子１０４へ給電する。
【０００７】
しかしながら、この誘導灯は、有機ＥＬを用いて寿命は長くなるが、非常時に、非常用電源が電流制御部により電力消費されるので、前記と同様に、長時間点灯できない。
【先行技術文献】
【特許文献】
【０００８】
【特許文献１】特開２００９−６９５９３号公報
【特許文献２】特開２００８−１６５３３７号公報
【発明の概要】
【発明が解決しようとする課題】
【０００９】
本発明は、非常時に面状発光素子を点灯させる非常用電源を有する表示装置において、非常用電源で点灯時に、点灯時間をより長くすることができる表示装置を提供することを目的とする。
【課題を解決するための手段】
【００１０】
上記目的を達成するために請求項１の発明は、交流電源からなる商用電源から給電される電流を所望の電流値に制御する電流制御手段と、電極に挟持される発光層を有する複数の面状発光素子と、前記商用電源が所望の機能を果たさない非常時に、前記面状発光素子に給電する非常用電源と、を備え、前記商用電源が所望の機能を果たす通常時には前記電流制御手段を介して前記面状発光素子に給電する表示装置において、前記非常用電源は、非常時に、前記電流制御手段を介さずに前記面状発光素子に電気的に接続され、前記電流制御手段は能動素子のスイッチング動作を用いて入力電圧を昇圧するための昇圧コンバータを有し、前記昇圧コンバータの制御電圧は、商用電源の交流電圧を利用しているものである。
【００１２】
請求項２の発明は、請求項１に記載の表示装置において、前記非常用電源を複数備え、前記複数の非常用電源は、非常時に、複数の面状発光素子に独立に接続されるものである。
【００１３】
請求項３の発明は、請求項２に記載の表示装置において、前記非常用電源の出力電圧は、通常時の前記面状発光素子への印加電圧よりも小さいものである。
【発明の効果】
【００１４】
請求項１の発明によれば、非常時において電流制御手段での電力ロスが発生しなくなるので、非常用電源の蓄積電力を効率よく利用でき、表示装置の点灯時間をより長くすることができる。また、非常時において昇圧コンバータは制御電圧がオフされて、スイッチング動作が停止されるので、非常用電源は電流制御手段に接続されていても、電流制御手段の電力ロスが抑制されることにより、実質的に電流制御手段をスルーする形で面状発光素子に給電でき、効率良く長時間、面状発光素子を点灯できる。また、非常用電源と電流制御手段間を切断するためのスイッチなどを設ける必要がなくなる。
【００１５】
請求項２の発明によれば、非常時において昇圧コンバータは制御電圧がオフされて、スイッチング動作が停止されるので、非常用電源は電流制御手段に接続されていても、電流制御手段の電力ロスが抑制されることにより、実質的に電流制御手段をスルーする形で面状発光素子に給電でき、効率良く長時間、面状発光素子を点灯できる。また、非常用電源と電流制御手段間を切断するためのスイッチなどを設ける必要がなくなる。
【００１６】
請求項２の発明によれば、非常時に、複数の面状発光素子のうち、電力消費の少ない面状発光素子ほど点灯時間が長くなるので、非常時の誘導に有効となる。
【００１７】
請求項３の発明によれば、非常時に面状発光素子は低い印加電圧で駆動されるので、その消費電力も低減し、通常時に比べ輝度は低くなるが、非常用電源による長時間点灯が可能となる。
【図面の簡単な説明】
【００１８】
【図１】本発明の第１の実施形態に係る誘導灯の構成図。
【図２】（ａ）は同実施形態の誘導灯の回路図、（ｂ）は同誘導灯の電流制御部の回路図。
【図３】同誘導灯の面状発光素子の電圧電流特性を示す図。
【図４】同誘導灯の誘導表示パターン例を示す図。
【図５】本発明の第２の実施形態に係る誘導灯の構成図。
【図６】（ａ）は同実施形態の誘導灯の回路図、（ｂ）は誘導灯の電流制御部の回路図。
【図７】本発明の第３の実施形態に係る誘導灯の構成図。
【図８】（ａ）は上記実施形態の変形例における誘導灯の回路構成図、（ｂ）は（ａ）の非常時に接続される各非常用電源と面状発光素子間の動作に必要な配線の模式図。
【図９】従来の誘導灯の構成図。
【図１０】他の従来の誘導灯の構成図。
【発明を実施するための形態】
【００１９】
（第１の実施形態）
本発明の表示装置の実施形態に係る誘導灯について図１乃至図４を参照して説明する。図１に示すように、本実施形態の誘導灯１は、交流直流変換部２と、非常用電源３と、電流制御部（電流制御手段）４と、有機ＥＬからなる面状発光素子５、６と、回路接続を切り替えるためのスイッチ７、８、９とを備える。
【００２０】
交流直流変換部２は、商用電源（例えば、１００Ｖ、６０Ｈｚ）からの交流電源を直流に変換し、その直流出力は蓄電池からなる非常用電源３に接続される共に、スイッチ７を介して電流制御部４に接続される。非常用電源３は、スイッチ８、９を介してそれぞれ面状発光素子５、６に接続される。電流制御部４は交流直流変換部２から給電される電流を所望の電流値に制御して面状発光素子５、６に供給し、それらを点灯する。
【００２１】
面状発光素子５、６は、互いに対向して配置された素子基板（不図示）と封止基板を有し、これら基板に設けられるプラス電極とマイナス電極との間に、有機分子材料からなる発光層が挟持されている。また、面状発光素子５、６は、発光層を挟んでプラス側に正孔輸送層、マイナス側に電子輸送層が形成されている。これら面状発光素子５、６は、いわゆるバックライトとして機能させるものではなく、直接表示したい色を発するような発光材料を用いた素子で構成される。
【００２２】
スイッチ７、８、９は、例えば、ＦＥＴやトランジスタなどのスイッチング素子を用いた半導体リレーや、交流電流のオンオフに連動して接点を切替える電磁リレーなどの電気接続用リレーを用いることができる。半導体リレーは、交流直流変換部２のトランス２２の一部に別途整流回路を設けて得られる直流電圧を用いて、各電気接続端子間に直列に挿入されたスイッチング素子を制御してオンオフしてもよい。また、電磁リレーは、交流直流変換部２の入力側から取り出した交流電流を利用できる。それらのリレーは、いずれも交流電源のオン、オフで各端子接続を切り替え、各スイッチをクローズ（短絡）またはオープン（開放）するようになっている。
【００２３】
ここでは、交流電源のオン時に、スイッチ７はクローズ、スイッチ８、９はオープンとなり、交流電源のオフ時に、各スイッチは逆の動作をする。なお、スイッチ８の面状発光素子５側と面状発光素子６とを接続し、スイッチ９を省略してもよい。
【００２４】
図２（ａ）に示すように、交流直流変換部２は、交流電源からの交流電圧を全波整流する全波整流回路２１と、その出力を電圧変換するトランス２２と、その電圧変換出力を整流し直流電圧Ｖａを出力する整流回路２３と、電源スイッチ２４とを有する。整流回路２３は、直流電圧Ｖａを非常用電源３に給電して充電すると共に、スイッチ７を介して電流制御部４に通電する。
【００２５】
図２（ｂ）に示すように、電流制御部４は、交流直流変換部２からの直流電圧Ｖａを昇圧するための昇圧コンバータ４０と、昇圧コンバータ４０の出力電流を検出するための電流検出部４６とを有する。昇圧コンバータ４０は、スイッチング素子のＦＥＴ（能動素子）４１と、このスイッチング動作を制御する制御部４２と、昇圧用のチョークコイル４３と、ＦＥＴ４１出力を整流するためのダイオード４４と、平滑用のコンデンサ４５とを備える。チョークコイル４３は、チョッパ方式の昇圧用コイルとして、交流直流変換部２とＦＥＴ４１のドレイン間に挿入される。また、ＦＥＴ４１のソースは接地されている。
【００２６】
電流検出部４６は、面状発光素子５、６と直列に接続される電流検出用の抵抗Ｒｄを備え、昇圧コンバータ４０から面状発光素子５、６に流れる出力電流Ｉｆを抵抗Ｒｄで電圧変換して検出し、この電流検出電圧Ｖｆ（＝Ｉｆ・Ｒｄ）を制御部４２にフィードバックする。
【００２７】
制御部４２は、スイッチングパルスを発生するパルス発振回路を有し、電源がオンされると、例えば、数１０ＫＨｚの固定周波数のパルスを発生し、そのパルスをＦＥＴ４１のゲートに印加してスイッチングする。その出力パルスは、ダイオード４４とコンデンサ４５で平滑整流されて直流電圧Ｖｂとなる。この昇圧コンバータ４０は、ＦＥＴ４１がオンからオフになったとき、チョークコイル４３に蓄積エネルギが蓄えられることにより、入力の直流電圧Ｖａが昇圧される。
【００２８】
電流制御部４は、電流検出部４６により検出された電流検出電圧Ｖｆを制御部４２にフィードバックすることにより、制御部４２に内蔵の基準電圧と比較して、ＰＷＭ制御によりパルス発振回路のパルス幅を変えて出力電流Ｉｆを安定化する。なお、直流電圧Ｖｂは、基準電圧変更用の可変抵抗（不図示）等により調整できるようになっている。このような電流制御部４は、通常スイッチング素子や電流制限要素としての抵抗などによる電力ロスがあるため、効率が９０−９５％程度となっている。
【００２９】
図３は、面状発光素子５、６を構成する有機ＥＬの電圧電流特性の例を示す。有機ＥＬは、その電極間に駆動電圧（ここでは直流電圧Ｖｂ）が印加されたとき、通常時は、入力の直流電圧Ｖｂに対し出力電流Ｉｆが流れて動作しており、停電時に駆動電圧が電圧Ｖｓまで下がると、電流もＩｓまで下がるようになる。すなわち、面状発光素子５、６は、入力電圧が低下すると素子に流れる電流も低下するいわゆる正特性を持つ。
【００３０】
図４は、面状発光素子５、６で構成される避難誘導標識の誘導表示パネル１１の例を示す。ここでは、誘導表示パネル１１は、面状発光素子５が動作時に緑色（網点部）に発色して誘導表示パネル１１内の「避難する人を模した形」を表し、面状発光素子６はその周りを白色に発色する構成になっている。
【００３１】
このような構成の誘導灯１の動作について、通常時と非常時に分けて説明する。通常時に、誘導灯１は、交流電源がオンになると、スイッチ７がクローズ（短絡）、スイッチ８、スイッチ９がオープン（開放）となり、交流直流変換部２の直流出力電圧が非常用電源３に印加されると共に、電流制御部４に印加され、非常用電源３は常時充電される。電流制御部４は、定電流源となって、面状発光素子５、６に直流電流Ｉｆを通電する。ここでは、例えば、面状発光素子５、６のそれぞれに印加される電圧を約８Ｖとすると、それらに流れる電流のトータルは約０．３Ａとなっている。
【００３２】
非常時、誘導灯１への交流電源がオフになると、スイッチ７はオープン、スイッチ８、スイッチ９はそれぞれクローズとなる。これにより、非常用電源３は、電流制御部４と分離され、面状発光素子５、６とそれぞれ直結される。すなわち、非常用電源３の出力は電流制御部４に給電されず、電流制御部４をバイパスする形で、直接、面状発光素子５、６に印加されることになる。
【００３３】
このとき、電流制御部４の通常時における電力効率が９０−９５％であることから、非常時に、非常用電源３は電流制御部４をバイパスすることにより、５％−１０％の電力ロスを回避することができ、その分、バイパスしない場合と比較して長時間点灯することが可能になる。
【００３４】
また、逆に、非常用電源３が電流制御部４に接続された場合、使用時間経過に伴い、その蓄電電力の消耗されてその出力電圧が低下していく状態にあっても、電流制御部４は非常用電源３からの入力電圧に関係なく定電流制御動作を続ける。すなわち、非常用電源３の出力電圧が低下しても、電流制御部４の出力電力は変化しないように制御されるので、非常用電源３の出力電流が増加する。その結果、加速的に非常用電源３の蓄電容量が減少し、点灯時間も加速的に短くなる。
【００３５】
本実施形態によれば、非常用電源３は、非常時に、電流制御部４を介さずに面状発光素子５、６に電気的に直接接続されるので、電流制御部４による電力ロスが発生しない。したがって、電流制御部４を介して面状発光素子５、６へ供給する場合と比較して、非常用電源３の蓄積電力を効率よく利用でき、点灯時間を長くすることができる。
【００３６】
また、面状発光素子５、６は、入力電圧が低下すると素子に流れる電流も低下するいわゆる正特性を持った負荷であるので、非常用電源３の出力電圧が低下するに伴い、流れる電流も低下することになり、輝度は暗くなるが、長時間点灯がなされる。
【００３７】
また、本実施形態においては、非常時に、緑色の面状発光素子５と白色の面状発光素子６の両方、すなわち、面状発光素子すべてを点灯するとしたが、どちらか一方を点灯させてもよい。例えば、非常時に、スイッチ９をオープンにした状態、または、通常時から非常用電源３と面状発光素子６とを接続しない構成にしておけば、非常時に面状発光素子５のみが点灯するようにできる。そのような構成では、非常時に緑色部（図４参照）しか表示しないが、その分、点灯必要電力が大幅に削減され、さらに長時間できるようになる。
【００３８】
また、本実施形態の電流制御部４は、昇圧コンバータ４０を用いて面状発光素子５、６に給電したが、スイッチング素子が電流制御部４の入出力間に直列に接続される降圧コンバータを用いることもできる。ここでは、チョークコイルはスイッチング素子と直列に、ダイオードはスイッチング素子と接地間に配置される。この降圧コンバータは、交流電源を基に形成した制御電圧により、非常時に、パルス発振回路が停止されスイッチング素子のスイッチング動作が停止されるようにする。これにより、非常用電源３は、非常時に、スイッチング素子の遮断により、電流制御部４と接続された状態でも電流制御部４による電力ロスがなく、非常用電源３と電流制御部４間の切断用のスイッチ７が不要になる。
【００３９】
（第２の実施形態）
本発明の第２の実施形態に係る誘導灯について、図５及び図６（ａ）、（ｂ）を参照して説明する。本実施形態の誘導灯１においては、非常用電源３は電流制御部４に直結されており、電流制御部４は昇圧コンバータ４０の制御電圧Ｖｃに商用電源の交流電圧を利用している。また、面状発光素子５、６は電流制御部４に接続されている。
【００４０】
図６（ａ）に示すように、交流直流変換部２は、トランス２２の一部からトランス結合で部分的に取り出された交流電圧を整流して直流電圧を得るための整流回路２５を備える。ここでは、この直流電圧を電流制御部４の制御電圧Ｖｃとし、制御電圧Ｖｃは電流制御部４に接続される。交流直流変換部２は、交流電源のオフ時、トランス２２の出力がゼロになるので、整流回路２５からの制御電圧Ｖｃもゼロになる。
【００４１】
図６（ｂ）に示すように、昇圧コンバータ４０の制御部４２は、制御電圧Ｖｃが接続される入力端子と、この入力端子からの制御電圧Ｖｃで制御されるスイッチング用のパルス発振回路とを有する。制御部４２は、制御電圧Ｖｃがオン時（通常時）にそのパルス発振回路を発振させ、オフ時（非常時）に停止させるようになっている。また、通常時、電流制御部４は交流直流変換部２から給電されると共に、制御電圧Ｖｃが印加され、前記実施形態と同様に、面状発光素子５、６に直流電圧Ｖｂを印加する。
【００４２】
非常時、昇圧コンバータ４０は、整流回路２５からの制御電圧Ｖｃがオフとなるので、非常用電源３から給電された状態でパルス発振回路の停止により、自動的にＦＥＴ４１のスイッチング動作が停止され、昇圧動作が停止される。このとき、非常用電源３の蓄電電圧（このとき、電圧Ｖａに充電されている）は、チョークコイル４３と順方向接続のダイオード４４とを通って面状発光素子５、６に供給される。
【００４３】
ここでは、厳密には、電流制御部４のスイッチング動作が止まっていても、その中のダイオード４４やチョークコイル４３等に電流が流れて電力ロスが発生するが、そのロスはＦＥＴ４１のスイッチングロスに比較して十分小さく殆ど無視できる。
【００４４】
本実施形態によれば、非常時に、昇圧コンバータ４０を停止して電流制御部４の電力消費を抑制することができるので、非常用電源３は電流制御部４に接続された状態であっても、電流制御部４の電力ロスの影響を回避できる。この電力ロスの回避により、非常用電源３は、実質的に電流制御部４をスルーして電流制御部４を介さないことと同等の形で面状発光素子に給電でき、面状発光素子５、６を長く点灯させることができる。したがって、非常時に、非常用電源３と電流制御部４とを切断して電流制御部４による非常用電源３の電力消耗を抑えるための、及び非常用電源３と面状発光素子５、６とを接続するためのスイッチ（図１に示した７、８、９）や、それらスイッチの制御回路等が必要ないので、回路構成が簡単になる。
【００４５】
（第３の実施形態）
本発明の第３の実施形態に係る誘導灯について、図７を参照して説明する。本実施形態の誘導灯１は、前記第１の実施形態において、複数の非常用電源３ａ、３ｂを備え、これら複数の非常用電源３ａ、３ｂは、非常時に、複数の面状発光素子５、６に互いに独立にそれぞれ接続されるものである。
【００４６】
誘導灯１は、通常時、交流直流変換部２からの直流電圧が非常用電源３ａ、３ｂにそれぞれ接続されると共に、スイッチ７を介して電流制御部４に接続され、電流制御部４を介して面状発光素子５、６が点灯される。
【００４７】
非常時、非常用電源３ａ、３ｂは、スイッチ７がオープンに、スイッチ８、９がクローズになり、電流制御部４と切断されると共に、スイッチ８、９を介してそれぞれ面状発光素子５、６と接続され、互いに独立して面状発光素子５、６に給電する。
【００４８】
面状発光素子５、６は、その素子部材によって流れる電流の大きさが決まり、この電流の少ないものほど消費電力が少ない。また、消費電流の少ない面状発光素子としては、例えば、面積の小さい素子や、消費電力の少ない発光材料や緑色等の発光色の面状素子などがある。したがって、面状発光素子５、６は、面積が小さいものや、消費電力の少ない発光材料によるものであれば、同じ電圧の非常用電源を接続したときに、比較的長時間点灯することが可能となる。
【００４９】
例えば、誘導表示パターンにおいて、面状発光素子５が動作時に緑色に発色して「避難する人を模した形」を表示し、面状発光素子６がそれ以外の白色に発色するパターン構成としたとき（図４参照）、それらの消費電力は面状発光素子５の方が少ない。したがって、非常用電源３ｂが電力消耗して面状発光素子６が点灯しなくなった後も、面状発光素子５が点灯し続け、非常時の誘導の助けとなる。
【００５０】
本実施形態によれば、非常時に、複数の非常用電源をそれぞれ独立に複数の面状発光素子とそれぞれ接続するので、複数の面状発光素子のうち、消費電流の少ない面状発光素子に接続された非常用電源は、消費電力の大きい面状発光素子に比較して、長時間駆動が可能となる。したがって、少なくとも一部の面状発光素子は、例え明るさが弱くても長時間点灯することができ、非常時の誘導に有効である。
【００５１】
（第３の実施形態の変形例）
上記実施形態の変形例について、図８（ａ）、（ｂ）を参照して説明する。図８（ａ）は本変形例の構成を示し、図８（ｂ）は、非常時の構成を分かりやすくするために、図８（ａ）における非常時の非常用電源３ａ、３ｂと面状発光素子５、６との動作に必要な接続の配線だけを示し、スイッチなど他の回路構成要素を省いている。本変形例は、非常用電源３ａ、３ｂの各出力電圧を通常時の面状発光素子５、６への出力電圧よりも小さくしたものである。通常、誘導灯器具内や非常用電源用の設置スペースは限られており、また、非常用電源（蓄電池）はその蓄積される容量とサイズが略比例することから、ここでは、非常用電源３ａ、３ｂの各蓄電容量を通常の１つの非常用電源における蓄電容量の半分としている。
【００５２】
誘導灯１は、非常用電源３ａと、スイッチ１０と、非常用電源３ｂとが順に直列配置され、通常時は、それらの両端に交流直流変換部２からの直流電圧Ｖａ（ここでは８Ｖとする）が印加されている。ここでは、スイッチ８、９、１０は３端子からなる２端子切り替え機能を持ち、複数の電気接続リレーを組み合わせて得られる。
【００５３】
通常時、スイッチ１０は、その２端子間を短絡して非常用電源３ａ、３ｂを電気的に直列接続し、他の端子は開放されて接地されている。このとき、非常用電源３ａ、３ｂは、それらの仕様が互いに等しくされており、交流直流変換部２からの直流電圧８Ｖが２分されて印加されて、充電後の電圧はそれぞれ４Ｖとなる。スイッチ８、９は、それぞれの２端子間により面状発光素子５、６と電流制御部４とを接続している。それらの残りの各１端子は、非常用電源３ａ、３ｂの各プラス側に接続され、面状発光素子５、６とはそれぞれ開放されている。
【００５４】
非常時、スイッチ１０は、非常用電源３ａ、３ｂ間をオープンとし、非常用電源３ａのマイナス側の端子を接地側端子に接続する。スイッチ８、９は、非常用電源３ａ、３ｂのそれぞれのプラス側が、面状発光素子５、６に接続されるように切換えられる。この結果、非常時は、面状発光素子５、６は、４Ｖに充電された非常用電源３ａ、３ｂからそれぞれ給電されることになる。
【００５５】
これにより、非常時に、非常用電源３ａ、３ｂは電流制御部４をバイパスすることによるロス低減効果に加え、面状発光素子５、６への印加電圧が半分になり、電流も自動的に約半分に低下するので、点灯時間がさらに延びる。
【００５６】
なお、本発明は、上記実施形態の構成に限られず、発明の趣旨を変更しない範囲で種々の変形が可能である。例えば、上記各実施形態において、面状発光素子が２個の場合を示したが、３個以上であってもよい。また、第３の実施形態において、非常用電源は２個の場合を示したが、３個以上であってもよい。また、電流検出部は電流検出に抵抗を用いたが、トランスなどを用いてもよい。
【符号の説明】
【００５７】
１  誘導灯（表示装置）
３、３ａ、３ｂ  非常用電源
４  電流制御部（電流制御手段）
４０  昇圧コンバータ
４１  ＦＥＴ（能動素子）
５、６  面状発光素子
Ｖｃ  制御電圧
【図１】
0005466530.tif 000002
【図２】
0005466530.tif 000003
【図３】
0005466530.tif 000004
【図４】
0005466530.tif 000005
【図５】
0005466530.tif 000006
【図６】
0005466530.tif 000007
【図７】
0005466530.tif 000008
【図８】
0005466530.tif 000009
【図９】
0005466530.tif 000010
【図１０】
0005466530.tif 000011